(57)【要約】【課題】槽内に足を配置させたときに脚部が安定するように構成して洗足作業を容易にすると同時に、槽の転倒や湯水の零れを防止することができる洗足槽を提供する。【解決手段】足を洗うための洗足槽１００は、上部開口縁１１１の一部が外側へ凸曲線状に張り出してなる張出上縁部１２１から底部１１２へ向けて斜めに伸びる断面凹曲線状の樋状構造を有する脚導入部１２０を一側に備えた槽本体１１０と、前記脚導入部１２０より下方へ突出する槽支持体１３０と、を設けたことを特徴とする。【選択図】          図１
0003127570.tif 000002
【実用新案登録請求の範囲】
【請求項１】
足を洗うための洗足槽であって、上部開口縁の一部が外側へ凸曲線状に張り出してなる張出上縁部から底部へ向けて斜めに伸びる断面凹曲線状の樋状構造を有する脚導入部を一側に備えた槽本体と、前記脚導入部より下方へ突出する槽支持体と、を設けたことを特徴とする洗足槽。
【請求項２】
前記槽支持体の下端は前記槽本体の底面と同じ高さに形成されていることを特徴とする請求項１に記載の洗足槽。
【請求項３】
前記槽支持体は、前記脚導入部より下方に延在した後に側方へ伸びて前記槽本体の下部に連結されていることを特徴とする請求項１又は２に記載の洗足槽。
【請求項４】
請求項１乃至３のいずれか１項に記載の洗足槽と、膝の裏側を支持する膝掛け部を備えた膝支持具と、を具備することを特徴とする洗足器具。
【請求項５】
前記膝支持具は前記膝掛け部の高さ調節機構を有することを特徴とする請求項４に記載の洗足器具。
【請求項６】
前記膝支持具は、前記槽本体に対して前記脚導入部の張り出し側に配置され、前記槽支持体に連結されていることを特徴とする請求項５に記載の洗足器具。
【請求項７】
前記膝支持具は前記脚導入部の張出方向へ移動可能に連結されていることを特徴とする請求項４乃至６のいずれか一項に記載の洗足器具。
【考案の詳細な説明】
【技術分野】
【０００１】
本考案は、洗足槽及び洗足器具に係り、特に、要介護者の足を洗う場合に好適な洗足槽又は洗足器具に関する。
【背景技術】
【０００２】
従来から、身体の自由が利かない人の体を清潔にする際に、寝かせた状態のままその人の足を湯に浸けて洗うことがある。この作業においては洗面器等の容器が用いられるが、このような容器の一つとして、開口縁の一部から外側に突出する樋状部が形成された温湯容器が知られている（例えば、以下の特許文献１参照）。上記の樋状部は洗面器状の本体の一側から外側に樋状に延長されたものであり、この樋状部によって脚や腕を屈曲させずに足や手を洗浄することができるようになっている。
【０００３】
また、一側に傾斜した脚導入用の側壁部を備えた足洗い桶と、この桶と組み合わせて使用する足掛けを備えた膝支持具とが以下の特許文献２に記載されている。この膝支持具は、膝の裏を上方へ持ち上げ両脚を屈曲させた状態に保持して、洗足作業を容易に行うためのものである。
【０００４】
さらに、湯の零れや槽の転倒を防止するための反り止め及び零れ水受を備えた病人用足洗い具が知られている（例えば、以下の特許文献３参照）。この足洗い具では、槽の上部開口縁の一側部分から板状の反り止めを斜め外側下方へ延在させ、その下端縁を外側上方へ湾曲させて樋状の零れ水受を設けている。
【特許文献１】実公昭３６−１５９５号公報
【特許文献２】意匠登録第１０３２４８９号公報
【特許文献３】実開昭５４−５６４９４号公報
【考案の開示】
【考案が解決しようとする課題】
【０００５】
しかしながら、特許文献１に記載の温湯容器では、樋状部が上部開口縁の一部から外側にほぼ水平に突出しているので、脚や腕を樋状部内に配置すると足や手が自然に容器本体の上方に浮いた状態となって足や手を容器内に十分に沈めることができず、また、樋状部に力が加わると容器が傾いたり転倒したりして湯水が零れる虞があり、しかも、樋状部がほぼ水平に伸びているため、容器本体に湯水を多めに入れると容器が傾かなくても樋状部から湯水が溢れやすい。特に、身体の自由が利かない人に対する洗足作業はベッド上で行われることが多いので湯水が零れると後片付けが煩雑となる。
【０００６】
また、特許文献２に記載の膝支持具では、足洗い桶と膝支持具とが別々に構成されているため、ベッド上等において使用する際にそれぞれが安定せず、また、使用者に対して適切な位置に設置することが難しいという問題点がある。また、その足掛け部が一対の支柱部によって既定の高さに支持されているところ、使用者の脚の長さは様々であるため、脚の長さや姿勢によっては膝支持具を用いると却って洗足作業が難しくなる場合もある。
【０００７】
さらに、特許文献３に記載の病人用足洗い具では、本体の傾斜や転倒、並びに湯水の零れを防止することはできるが、反り止めが延設されてなる上部開口縁の一部が脛の裏側に当たりやすく病人の脚に負担がかかるとともに、屈折させた脚が左右に振れやすく不安定であるため、洗足作業が難しいという問題点がある。
【０００８】
そこで、本考案は上記問題点を解決するものであり、その課題は、槽内に足を配置させたときに脚部が安定するように構成して洗足作業を容易にすると同時に、槽の転倒や湯水の零れを防止することができる洗足槽を提供することにある。
【課題を解決するための手段】
【０００９】
上記課題を解決するために本考案の洗足槽は、足を洗うための洗足槽であって、上部開口縁の一部が外側へ凸曲線状に張り出してなる張出上縁部から底部へ向けて斜めに伸びる断面凹曲線状の樋状構造を有する脚導入部を一側に備えた槽本体と、前記脚導入部より下方へ突出する槽支持体と、を設けたことを特徴とする。
【００１０】
この考案によれば、槽本体の一側に設けられた脚導入部が張出上縁部より槽本体の底部へ向けて斜めに伸びる断面凹曲線状の樋状構造を有することにより、脛を脚導入部内に斜めに通過させることで、足を槽本体の底部上に安定して配置することができ、しかも、脛の位置を上記樋状構造で安定させる（左右方向に保持する）ことができることから、洗足作業中において脚の姿勢が安定するため、洗足作業を容易に行うことが可能になる。また、脚導入部の上部に設けられた張出上縁部は上部開口縁の一部が外側へ凸曲線状に張り出してなるため、張出上縁部を低くしなくても脚を導入しやすく構成できることから、脚導入部からの湯水の溢れを回避することが可能になる。さらに、槽支持体が脚導入部から下方へ突出するように設けられているので、脚導入部に脚等から下方に応力が加わって槽本体が傾いても槽支持体の下端部が設置面に当接することによって支持されるため、洗足槽が大きく傾いたり転倒したりすることを防止できる。なお、前記槽支持体は脚導入部より下方へ突出するように設けられているので、これを取っ手として使用することもできる。
【００１１】
本考案において、前記槽支持体の下端は前記槽本体の底面と同じ高さに形成されていることが好ましい。この考案によれば、槽本体が傾かなくても槽支持体の下端が設置面に当接し、或いは、設置面に極めて近い位置に配置されるので、槽本体の傾きをほとんど完全に防止することができる。
【００１２】
本考案において、前記槽支持体は、前記脚導入部より下方に延在した後に側方へ伸びて前記槽本体の下部に連結されていることが好ましい。この考案によれば、前記槽支持体は前記脚導入部と前記槽本体の下部の２箇所にて槽本体に連結されているので、前記槽支持体の取り付け強度を向上させることができるとともに、脚導入部に対する支持効果をも得ることができる。特に、脚導入部の下方へ延在する縦支持部と、縦支持部の下端部と槽本体の下部とを連結する横連結部とを有するＬ字状に構成されることにより、脚導入部の剛性をさらに高めることができる。
【００１３】
本考案の洗足器具は、上記のいずれかに記載の洗足槽と、膝の裏側を支持する膝掛け部を備えた膝支持具とを具備することを特徴とする。この考案によれば、前記膝支持具によって膝を持ち上げ屈折させた状態で、前記洗足槽の中で足を洗うことができるので、洗足作業が容易になる。
【００１４】
本考案において、前記膝支持具は前記膝掛け部の高さ調節機構を有することが好ましい。この考案によれば、高さ調節機構により膝掛け部の高さを調節することで、脚の長さや洗足姿勢等が異なっていても適切に対処することができ、しかも膝支持具１台で種々の状況に対応できる。
【００１５】
本考案において、前記膝支持具は、前記槽本体に対して前記脚導入部の張り出し側に配置され、前記槽支持体に連結されていることが好ましい。この考案によれば、膝支持具が洗足槽に対して位置決めされた状態で連結されているので、洗足槽と膝支持具との位置決め作業を行う必要がなくなり、容易に脚を支持して洗足作業を行うことができる。
【００１６】
特に、前記膝支持具は前記脚導入部の張出方向へ移動可能に連結されていることが好ましい。これによれば、脚の長さや洗足姿勢等に応じて前記洗足槽と膝支持具との間の距離を調節できるため、洗足作業をさらに容易に行うことができる。
【考案を実施するための最良の形態】
【００１７】
以下に、本考案に係る洗足槽および洗足器具の実施形態について詳細に説明する。図１は本考案に係る第１実施形態の洗足槽を斜め前方向から見た状態を模式的に示す概略斜視図である。図１に示すように、この洗足槽１００は、槽本体１１０と、槽本体１１０に取り付けられた槽支持体１３０とを有している。
【００１８】
槽本体１１０は所定の深さを有する略四角形の洗い桶であり、平面略長方形の底部１１２と、底部１１２の周縁部から筒状に立設した側壁部１１３と、側壁部１１３の上端に設けられた周回状の上部開口縁１１１とを有し、底部１１２の内底面上の側壁部１１３によって囲まれた内側部分に湯や水を収容可能に構成されている。また、上部開口縁１１１には外側に張り出したフランジ１１１ａが形成されている。
【００１９】
槽本体１１０の一側部には脚導入部１２０が形成されている。脚導入部１２０は上部開口縁１１１の一部が外側へ凸曲線状に張り出してなる張出上縁部１２１と、この張出上縁部１２１から槽本体１１０の底部１１２へ向けて傾斜した傾斜側壁部１２２とから構成され、全体として断面凹曲線状に構成され、底部１１２へ向けて斜めに伸びる樋状構造を有している。張出上縁部１２１の高さは上部開口縁１１１の他の部分の高さと同じに形成されている。
【００２０】
上記のように構成された脚導入部１２０によれば、脛を傾斜側壁部１２２の内面に沿って上記樋状構造内を通すように配置することで、足が槽本体１１０の底部１１２の内面上に自然な姿勢で配置される。また、上記樋状構造が断面凹曲線状に構成されていることで脚を安定して保持することができるため、洗足作業中の脚の姿勢変化、特に左右への揺れを防止できる。さらに、張出上縁部が外側へ凸曲線状に構成されることで、脚の導入を妨げずに張出上縁部の高さを確保できるため、脚導入部から湯水が溢れるといったことが防止される。
【００２１】
槽支持体１３０は、例えば金属製であり、脚からの加重を受けても座屈や湾曲しない程度の強度を有している。槽支持体１３０は全体形状がＬ字形であり、脚導入部１２０から下方向に伸びる縦支持部１３１と、略水平方向に伸びて縦支持部１３１と槽本体の下部とを連結する横連結部１３２とがほぼ直交するように形成されたものである。
【００２２】
縦支持部１３１は、その上端部がボルト１３３とナット１３４によって傾斜側壁部１２２に固定されている。一方、横連結部１３２は、その一端部がボルト１３５とナット１３６によって槽本体１１０の側壁部１１３に固定されており、その他端部は縦支持部１３１の下端部に連結されている。そして、槽支持体１３０の下端部、すなわち縦支持部１３１の下端部及び横連結部１３２の底面１３２ａは槽本体１１０の底部１１２と同じ高さに形成されている。これにより、槽本体１１０の底部１１２と槽支持体１３０の下端部の両方が平坦な設置面に接地した状態となるように構成されている。
【００２３】
また、縦支持部１３１の下端部には槽本体１１０に対して反対側の外面に孔１３７が形成されている。この孔１３７は縦支持部１３１を貫通して横連結部１３２の内部まで延在している。この孔１３７は後述する膝支持具に連結するためのものである。
【００２４】
本実施形態においては、槽支持体１３０の下端部が槽本体１１０の底部１１２と同じ高さに形成されているので、脛が脚導入部１２０に当たって下方に力が加わっても洗足槽１００が傾斜したり転倒したりすることを防止できる。また、槽支持体１３０は脚導入部１２０と槽本体１１０の下部との２箇所にて槽本体１１０に固定されているので、槽支持体１３０の槽本体１１０に対する取り付け強度を向上できるとともに、脚導入部の支持剛性をも高めることができる。
【００２５】
なお、上記の槽支持体１３０はボルト１３３、１３５とナット１３４、１３６によって槽本体１１０にそれぞれ固定されているが、その固定手段はボルトとナットに限定されるものではなく、ねじ、ピン、溶接、接着などの他の固定手段又は固定構造を用いてもよいし、また、槽本体１１０と槽支持体１３０が一体に形成されていてもよい。さらに、上記の槽支持体１３０の下端部は槽本体１１０の底部と同じ高さに構成されているが、槽支持体１３０の下端部が底部よりも上方に位置するように構成しても構わない。この場合には、槽支持体１３０の下端部の高さに応じて槽本体１１０の傾き可能範囲が大きくなるが、槽支持体１３０により槽本体１１０が或る程度以上に傾いたり転倒したりすることを防止できる点では変わりがない。
【００２６】
次に、図２を参照して本考案における第２実施形態の洗足槽について説明する。図２は本考案に係る第２実施形態の洗足槽を斜め前方向から見た状態を模式的に示す概略斜視図である。図２に示すように、この洗足槽２００は、一側に脚導入部２２０を備えた槽本体２１０と、脚導入部２２０の下側外面から下方に伸びる槽支持体２３０とを有している。第２実施形態の槽本体２１０は第１実施形態の槽本体１１０と同一のものであり、その説明は省略する。
【００２７】
槽支持体２３０は、脚導入部２２０の下側外面から下方に伸びる棒状（延長形状）に構成されている。槽支持体２３０の上端部は張出上縁部２２１の下側に対応する傾斜側壁部２２２にボルト２３３とナット２３４によって固定されている。また、槽支持体２３０の下端部２３２は槽本体２１０の底部２１２と同じ高さに形成されている。
【００２８】
第２実施形態においても、槽支持体２３０は脚導入部２２０の下側外面から下方に伸びて、その下端部２３２が槽本体２１０の底部２１２と同じ高さに形成されていることにより、洗足槽２００の載置状態において、脚導入部２２０は槽支持体２３０によって支持されているので、上方から脚導入部２２０に力が加わっても洗足槽２００が傾斜したり転倒したりすることを防止できる。
【００２９】
なお、第２実施形態においては、槽支持体２３０がボルト２３３とナット２３４によって槽本体２１０の脚導入部２２０に固定されているが、第１実施形態と同様に、その固定手段はボルトとナットに限定されるものではなく、ねじ、ピン、溶接、接着などの他の固定手段又は固定構造を用いてもよいし、また、槽本体２１０と槽支持体２３０が一体に形成されていてもよい。また、上記の槽支持体２３０の下端部２３２は槽本体２１０の底部と同じ高さに構成されているが、槽支持体２３０の下端部２３２が底部よりも上方に位置するように構成しても構わない。この場合には、槽支持体２３０の下端部２３２の高さに応じて槽本体２１０の傾き可能範囲が大きくなるが、槽支持体２３０により槽本体２１０が或る程度以上傾いたり転倒したりすることを防止できる点では変わりがない。
【００３０】
次に、図３及び図４を参照して本考案の第３実施形態の洗足器具について説明する。図３は本実施形態の洗足器具を斜め前方向から見た状態を示す概略斜視図である。図４は洗足器具を構成する膝支持具を斜め前方向からみた状態を示す概略斜視図である。図３に示すように、本実施形態の洗足器具１０００は、洗足槽１００と膝支持具３００とを有している。洗足槽１００は上述した第１実施形態の洗足槽１００と同一のものであり、その説明は省略する。
【００３１】
図４に示すように、膝支持具３００は膝を所定の高さに保持するためのものであり、膝の裏側を支持する膝掛け部３１０と、膝掛け部３１０から下方向に伸びる支柱部３２０と、支柱部３２０の下端部に固定された台座部３３０とを有している。膝掛け部３１０は円筒状に構成され、その軸線Ｘが略水平方向に伸びる姿勢で支柱部３２０に固定されている。膝掛け部３１０の外周上には膝の裏側への負担を緩和するために、タオル材等のクッション材３１１が取り付けられ（巻回され）ている。
【００３２】
支柱部３２０は、膝掛け部３１０の略中間位置から下方向に伸びており、その側面に所定間隔を空けて複数の孔３２１ａ、３２１ｂ、３２１ｃが形成された第１支柱材３２１と、その上端部３２２ａから第１支柱材３２１が挿入され、第１支柱材３２１の下部を出し入れ自在に収容している筒状の第２支柱材３２２と、第２支柱材３２２の上端部３２２ａに取り付けられ、図示しない先端部が第１支柱材３２１の孔３２１ａ、３２１ｂ、３２１ｃに挿入可能に構成された止めねじ３２３とを有している。
【００３３】
このように構成された支柱部３２０においては、止めねじ３２３を緩めて第２支柱材３２２に対する第１支柱材３２１の上下位置（挿入深さ）を変えた後に止めねじ３２３を締めてその先端部を孔３２１ａ、３２１ｂ、３２１ｃのいずれかに挿入することによって、膝掛け部３１０の高さを図示矢印Ａに示すように変えることができるようになっている。すなわち、この支柱部３２０には膝掛け部３１０の高さを調節する高さ調節機構が設けられている。
【００３４】
台座部３３０は、全体形状が平面視Ｈ字形であり、両端部にキャップ３３１ａ、３３１ｂ、３３２ａ、３３２ｂがそれぞれ取り付けられ、所定間隔を空けて略平行に配置された２本の棒材３３１、３３２と、この２本の棒材３３１、３３２に掛け渡すように固定された板材３３３とを有している。この板材３３３の中間部分には第２支柱材３２２の下端部３２２ｂが固定されている。また、２本の棒材３３１、３３２の軸線は膝掛け部３１０の軸線に対して直交している。
【００３５】
上述のように構成された洗足器具１０００においては、洗足槽１００と膝支持具３００を所定間隔Ｄを空けて配置し、脚Ｌの膝を膝支持具３００の膝掛け部３１０に掛けた状態で、脚Ｌを脚導入部１２０から洗足槽１００の中に挿入することで、膝を上方へ持ち上げ脚Ｌを屈折させた状態に保持することができるため、安定した脚姿勢で足を確実かつ容易に洗うことができる。
【００３６】
次に、図５を参照して第４実施形態の洗足器具について説明する。図５は本実施形態の洗足器具を斜め前方向から見た状態を模式的に示す概略斜視図である。ここで、第３実施形態の洗足器具１０００と同一のものは同一符号を付し、その説明は省略する。
【００３７】
図５に示すように、洗足器具２０００は足を洗うための洗足槽１００と、膝を支持する膝支持具４００と、洗足槽１００及び膝支持具４００を連結する連結部材５００とを有している。なお、洗足槽１００は上記の洗足槽１００と同一のものであり、その説明は省略する。また、膝支持具４００は上述の膝支持具３００の台座部３３０を取り外したものであり、同一部分の説明は省略する。
【００３８】
連結部材５００は水平方向に直線状に伸びる角材であり、その一端部５０１が膝支持具４００の第２支柱材３２２の底に固定されている。連結部材５００の他端部５０２は洗足槽１００の孔１３７に出し入れ自在に挿入されている。また、連結部材５００の他端部５０２には所定間隔を空けて複数の孔５００ａ、５００ｂが連結部材５００の長手方向に配列形成されている。
【００３９】
一方、槽支持体１３０の横連結部１３２には止めねじ５１０が取り付けられ、この止めねじ５１０は横連結部１３２の内部に挿入され、その図示しない先端部が連結部材５００の孔５００ａ、５００ｂに挿入可能に構成されている。このため、止めねじ５１０を緩めて連結部材５００の挿入深さを変更してから止めねじ５１０の先端部を孔５００ａ又は孔５００ｂに係合させることにより、洗足槽１００と膝支持具４００の間の水平距離を図示矢印Ｂに示すように調節できるようになっている。なお、孔５００ａ、５００ｂを設けなくても、止めねじ５１０の先端部を連結部材５００の外面に当接させることにより、横連結部１３２と連結部材５００とを任意の位置で固定することが可能である。
【００４０】
この実施形態において、洗足槽１００と膝支持具４００とが膝掛け部３１０が脚導入部１２０の張出方向に位置する態様で連結され、位置決めされていることにより、洗足槽１００と膝支持具４００との間の位置決め作業が不要になるとともに、両者の姿勢が相互に固定されるために脚をより安定的かつ容易に支持することができる。また、洗足槽１００と膝支持具４００の水平距離が上記張出方向に調整可能に構成されていることにより、使用者の脚の長さや洗足姿勢等に応じて上記水平距離を適切な値に設定することができる。
【００４１】
尚、本考案の洗足器具は、上述の図示例にのみ限定されるものではなく、本考案の要旨を逸脱しない範囲内において種々変更を加え得ることは勿論である。例えば、第４実施形態においては、連結部材５００が膝支持具４００に固定されているとともに、洗足槽１００の槽支持体１３０に出し入れ自在に係合しているが、この逆に、連結部材５００が洗足槽１００に固定されているとともに膝支持具４００に対して出し入れ自在に係合していてもよいし、連結部材５００が膝支持具４００と洗足槽１００の双方に対してスライド自在に係合していても構わない。
【００４２】
また、第３実施形態と第４実施形態の洗足器具１０００、２０００にはそれぞれ洗足槽１００が採用されているが、この代わりに洗足槽２００をそれぞれ採用してもよい。ただし、第４実施形態で洗足槽２００を用いる場合には、槽支持体２３０の下端部２３２に連結部材５００を連結し、かつ、連結部材５００が槽支持体２３０の下端部２３２に対して脚導入部２２０の張出方向に移動可能に構成する必要がある。また、第４実施形態の洗足器具２０００には膝支持具４００が採用されているが、この膝支持具４００に膝支持具３００の台座部３３０を追加し、膝支持具４００の安定性を高めてもよい。なお、本考案の洗足槽は足を洗うための槽に関するものであるが、利用者の意思に応じて手を洗うために用いる手洗い槽として用いることも可能である。
【図面の簡単な説明】
【００４３】
【図１】第１実施形態の洗足槽の概略斜視図。
【図２】第２実施形態の洗足槽の概略斜視図。
【図３】第３実施形態の洗足器具の概略斜視図。
【図４】第３実施形態の洗足器具を構成する膝支持具の概略斜視図。
【図５】第４実施形態の洗足器具の概略斜視図。
【符号の説明】
【００４４】
１００、２００…洗足槽、１１０、２１０…槽本体、３００、４００…膝支持具、３２０…支柱部、３３０…台座部、１１１、２１１…上部開口縁、１１１ａ…フランジ、１１２…底部、１１３…側壁部、１２０、２２０…脚導入部、１２１、２２１…張出上縁部、１２２、２２２…傾斜側壁部、１３０、２３０…槽支持体、１３１…縦支持部、１３２…横連結部、１３７、３２１ａ、３２１ｂ、３２１ｃ、５００ａ、５００ｂ…孔、３１０…膝掛け部、３１１…クッション材、３２１…第１支柱材、３２２…第２支柱材、３２２ａ…上縁部、３２２ｂ…下端部、３２３、５１０…止めねじ、５００…連結部材、１０００、２０００…洗足器具
【図１】
0003127570.tif 000003
【図２】
0003127570.tif 000004
【図３】
0003127570.tif 000005
【図４】
0003127570.tif 000006
【図５】
0003127570.tif 000007